(57)【要約】【課題】ガソリン代替燃料噴射システムを構築する場合に、既設の制御装置に特別な改造作業を加えることなく既設の制御装置と増設した制御装置双方に関連する故障情報を容易に把握できるようにする。【解決手段】制御に関連する故障を検知して故障情報を生成し故障情報表示手段に出力するガソリン噴射制御用の電子制御ユニット１が配設されたエンジン既設のガソリン噴射制御システムに、制御に関連する部品の故障検知機能を備えた非ガソリン燃料噴射制御用の電子制御ユニット３が追加されてなるガソリン代替燃料噴射システムの制御装置において、電子制御ユニット１が出力する故障情報が、一端電子制御ユニット３に入力され電子制御ユニット３が生成する故障情報を論理和に相当する方法で付加・統合され、電子制御ユニット３から故障情報表示手段としての故障ランプ６に出力されて故障を表示させる。【選択図】図１
2007309200.tif 000002
【特許請求の範囲】
【請求項１】
制御に関連する部品の故障を検知して故障情報を生成し所定の故障情報表示手段に出力する故障表示機能を備えたガソリン噴射制御装置が配設されたエンジン既設のガソリン噴射制御システムに、入力された所定のデータを基に非ガソリン燃料の噴射量を算出して燃料噴射信号を出力するとともに制御に関連する部品の故障検知機能を備えた非ガソリン噴射制御装置が追加されたガソリン代替燃料噴射システムの制御装置において、前記ガソリン噴射制御装置が出力する故障情報は、一旦前記非ガソリン燃料噴射制御装置に入力され、該非ガソリン燃料噴射制御装置が生成する故障情報を論理和に相当する方法で付加・統合されて、前記非ガソリン燃料噴射制御装置から前記故障情報表示手段に出力されてることにより故障を表示させることを特徴とするガソリン代替燃料噴射システムの制御装置。
【請求項２】
前記ガソリン噴射制御装置から、故障診断ツールと接続して故障診断情報を外部に提供するデータリンクコネクタが末端に設けられた通信ケーブルが延出され、該通信ケーブルの中途に前記非ガソリン燃料噴射制御装置から延出された故障診断情報を送信する通信ケーブルが並列的に接続されており、且つ、前記非ガソリン燃料噴射制御装置には前記ガソリン噴射制御装置とは異なるＩＤが割り当てられていることを特徴とする請求項１に記載したガソリン代替燃料噴射システムの制御装置。
【請求項３】
請求項２に記載したガソリン代替燃料噴射システムの制御装置において、前記非ガソリン燃料噴射制御装置は、前記ガソリン噴射制御装置と通信ケーブルで接続されており、且つ、前記自己のＩＤを前記ガソリン噴射制御装置に割り当てられたＩＤに一時的に切換えることで、前記ガソリン噴射制御装置から必要とするデータを入手可能な状態となることを特徴とするガソリン代替燃料噴射システムの制御装置。
【請求項４】
請求項３に記載したガソリン代替燃料噴射システムの制御装置において、前記ＩＤの切換えは、前記両制御装置に関連する故障が前記非ガソリン燃料噴射制御装置に検知されていないことを前提として行われることを特徴とするガソリン代替燃料噴射システムの制御装置。
【発明の詳細な説明】
【技術分野】
【０００１】
本発明は、既設のガソリン噴射システムを利用して非ガソリン燃料を使用できるように改造してなるガソリン代替燃料噴射システムに配設される制御装置に関し、殊に、制御装置に関連する故障情報を運転者等に知らせる機能を備えたガソリン代替燃料噴射システムの制御装置に関するものである。
【背景技術】
【０００２】
組成・気化性等の特性がガソリンとは異なるＬＰＧ等の非ガソリン燃料を火花点火エンジンの燃料に使用することは広く知られているが、これらガソリンとは特性の異なる非ガソリン燃料をインジェクタから吸気管路に噴射する噴射システムをエンジンに搭載するにあたり、新規のエンジンに対してはエンジン運転状態に応じて最適の燃料供給量を与える噴射量を設定する電子制御装置を使用してインジェクタを制御するように最初からシステムを設計・構築すればよい。
【０００３】
しかし、ガソリン噴射システムを搭載している既存のエンジンに対しては、エンジンの運転状態に応じて最適の燃料供給量を与える噴射量としてガソリン噴射システムを構成する電子制御装置に設定されているので、例えば特開２００４―１０８１４８号公報に記載されているように、ガソリン噴射量に基いてこれと同等の混合気を与える燃料噴射量を種々のデータを用いて所定の計算式で算出する、というきわめて簡単な機能をもたせた非ガソリン燃料用の電子制御装置を増設し、且つ、燃料の種類ごとに噴射に適した弁口径・ダイナミックレンジをもつインジェクタを使用することにより、既存のガソリン噴射システムをそのまま利用して非ガソリン燃料を用いるガソリン代替燃料噴射システムを構築することができる。
【０００４】
ところで、燃料噴射システムの制御装置には、制御に関連する故障情報を検知してこれを運転者や修理業者などに提供する故障表示機能が付設されている場合が多い。例えば、図５の制御装置の機能ブロック図に示すもののように、ガソリン代替燃料噴射システムの制御装置にこのような故障表示機能が付設されたものが知られている。
【０００５】
このガソリン代替燃料噴射システムの制御装置は、エンジン既設のガソリン噴射制御用の電子制御ユニット１に、ガソリンとは異なる燃料の供給を制御する非ガソリン燃料噴射制御用の電子制御ユニット２を通信ケーブル８で接続し、互いに情報を共有するように構成されている。そして、電子制御ユニット１の制御に関連するセンサ１４ａやアクチュエータ１４ｂ等の部品が故障した場合、電子制御ユニット１内の故障診断手段１５がその故障を検知して故障情報を生成し、その故障情報が故障診断を統制する故障診断統制手段１１によって処理された後、装置外部まで延出された配線４を介して、運転席に配置した故障ランプ６を点灯または消灯させて運転者等に故障が発生していることを表示する。また、通信ケーブル５を介して該当する故障コード等の故障診断情報をデータリンクコネクタ７経由で外付け用の故障診断ツールに出力するようになっている。
【０００６】
一方、追加された非ガソリン燃料用の電子制御ユニット２の制御に関連する部品２４ａ〜２４ｄ等が故障した場合、電子制御ユニット２内の故障診断手段２５により故障が検知され、その情報が通信ケーブル８を介してベースとなる電子制御ユニット１に送信される。そして、送られた情報が非ガソリン燃料用の電子制御ユニット２の故障情報として故障診断統制手段１１に入力され、その後、上記と同様の処理により故障情報を外部に出力するようになっている。
【０００７】
しかしながら、このような従来のガソリン代替燃料噴射システムの制御装置においては、既設のガソリン用電子制御ユニット１内に、非ガソリン燃料用の電子制御ユニット２からの故障情報を取込む手段を追加することに加え、故障情報を統制する故障情報統制手段１１を構成するためのプログラムを変更する必要が生じ、既設の電子制御ユニット１のハードウエアおよびソフトウエアの改造を実施するという面倒を要する。
【特許文献１】特開２００４―１０８１４８号公報
【発明の開示】
【発明が解決しようとする課題】
【０００８】
本発明は、上記のような問題点を解決しようとするものであり、エンジン既設のガソリン噴射システムを利用してガソリン代替燃料噴射システムを構築する場合に、既設の制御装置に特別な改造作業を加えることなく、既設の制御装置および増設した制御装置の両方に関連する故障情報を容易に把握できるようにすることを課題とする。
【課題を解決するための手段】
【０００９】
そこで、本発明は、制御に関連する部品の故障を検知して故障情報を生成し所定の故障情報表示手段に出力する故障表示機能を備えたガソリン噴射制御装置が配設されたエンジン既設のガソリン噴射制御システムに、入力された所定のデータを基に非ガソリン燃料の噴射量を算出して燃料噴射信号を出力するとともに制御に関連する部品の故障検知機能を備えた非ガソリン噴射制御装置が追加されてなるガソリン代替燃料噴射システムの制御装置において、ガソリン噴射制御装置が出力する故障情報が、一端非ガソリン燃料噴射制御装置に入力され、この非ガソリン燃料噴射制御装置が生成する故障情報を論理和に相当する方法で付加・統合され、非ガソリン燃料噴射制御装置から故障情報表示手段に出力されて故障を表示させる。
【００１０】
このように、ガソリン噴射制御装置から故障情報を送信する配線を、非ガソリン噴射制御装置に接続してから故障情報表示手段に接続し、両制御装置に関連する故障情報を付加・統合して出力するようにしたことで、エンジン既設の制御装置側に特別な改造を要することなく、ガソリン代替燃料噴射システムの制御装置に関連する故障情報を表示するための故障表示機能を容易に設けることができる。
【００１１】
また、このガソリン噴射制御装置から、故障診断ツールと接続して故障診断情報を外部に提供するデータリンクコネクタが末端に設けられた通信ケーブルが延出され、その中途に非ガソリン燃料噴射制御装置から延出され故障診断情報を送信する通信ケーブルが並列的に接続されたものとし、且つ、非ガソリン燃料噴射制御装置にはガソリン噴射制御装置とは異なるＩＤが割り当てられたものとすれば、エンジン既設のガソリン噴射制御装置のハードウエアやソフトウエアを改造する手間を要することなく、且つ、両制御装置について混同することなく外部診断ツールを用いた故障診断を容易に行えるようになる。
【００１２】
この場合において、非ガソリン燃料噴射制御装置は、ガソリン噴射制御装置と通信ケーブルで接続されたものとし、且つ、自己のＩＤをガソリン噴射制御装置に割り当てられたＩＤに一時的に切換えることで、ガソリン噴射制御装置から必要とするデータを入手可能な状態となるものとすれば、より高度な故障診断と燃料噴射制御を実現することができ、さらに、そのＩＤ情報の切換えは、両制御装置に関連する故障が非ガソリン噴射制御装置に検知されていないことを前提として行われるものとすれば、制御における誤動作を回避しやすいものとなる。
【発明の効果】
【００１３】
ガソリン噴射制御装置が出力した故障情報を、非ガソリン燃料噴射制御装置に一端入力して非ガソリン燃料噴射制御装置に関連する故障情報を付加・統合して故障情報表示手段に出力するものとした本発明により、エンジン既設の制御装置に特別の改造作業を要することなく、ガソリン代替燃料噴射システムの制御装置において既設の制御装置および増設した制御装置の両方に関連する故障情報を容易に把握できるものである。
【発明を実施するための最良の形態】
【００１４】
以下に、図面を参照しながら本発明における最良の実施の形態を説明する。
【００１５】
図１は、電子制御ユニット１を備えたガソリン噴射システムを非ガソリン燃料噴射システム改造したものにおける制御装置の機能ブロック図を示している。ガソリン用噴射制御装置としての電子制御ユニット１は、例えばスロットル開度センサ、ＭＡＰセンサ、Ｏ２センサ、水温センサ、クランク角センサ等により検出したエンジン運転状態に基いて算出したガソリン噴射信号を出力し、改造前において図示しないガソリン用インジェクタをこの駆動信号に応じたデューティサイクルで開閉動作させ、エンジン要求流量のガソリンを噴射してエンジンに供給し、点火栓を所定のタイミングで点火させるものであり、改造後においては図５に示す従来のガソリン代替燃料噴射装置のガソリン用噴射制御装置１と同じものであり、ハード的、ソフト的に何ら変更を加えたものではない。
【００１６】
従って、この電子制御ユニット１は図５の従来例と同様に故障表示機能を有しており、故障を検知することで故障表示手段としての故障ランプ６を点灯させ、データリンクコネクタ７を介して故障診断情報を外部に提供するようになっている。しかし、本実施の形態においては、故障ランプ６に至る配線が途中で切断されて新たな配線４ａで非ガソリン燃料噴射制御装置としての電子制御ユニット３に接続され、これから延出された配線４ｂを経由して故障ランプ６に接続されている点を特徴としている。また、データリンクコネクタ７に至る通信ケーブル５の中途で電子制御ユニット３から延出された通信ケーブル５ａが並列に接続している点も特徴となっている。
【００１７】
尚、電子制御ユニット１，３は、図示しないＣＰＵ，ＲＯＭ，ＲＡＭ，入出力インターフェース等を備えハードウエア的には汎用のものであるが、そのＲＯＭに以下に述べる各手順を実行し各機能を発揮させるための種々のプログラムがそれぞれ記憶されて、以下に述べる各手段を機能的に実現するものである。
【００１８】
電子制御ユニット３内部では、その制御に関連する部品の故障を故障診断手段３５が検知し、故障情報を生成して故障診断統制手段３６に送るようになっているが、この生成された故障情報が配線４ａを介して入力された電子制御ユニット１からの故障情報に、付加手段３７で論理和に相当する方法で付加処理され、この付加・統合された故障情報が、電子制御ユニット３から延出され故障ランプ６まで接続された配線４ｂを介して故障ランプ６を点灯させるようになっている。これにより、両制御装置１，３のうち、いずれか一方の故障を検知すると運転席側で故障が生じたことを認識できるものである。
【００１９】
また、故障診断情報については、電子制御ユニット１から通信ケーブル５でデータリンクコネクタ７に接続されて送信されるようになっており、また、電子制御ユニット３内の故障診断統制手段３６から延出された通信ケーブル５ａが通信ケーブル５の中途で並列に接続されているが、電子制御ユニット１等の本システムにおける他の既設の装置に付与されたＩＤとは異なるＩＤが電子制御ユニット３に付与されている。これにより、故障ランプ６が点灯したとき、既存の故障診断ツールか新たに加えた電子制御ユニット３用の故障診断ツールかのいずれかを接続することで、故障診断情報としての故障コードを確認して故障箇所を認識することができるようになっている。
【００２０】
また、このように通信ケーブル５，５ａで両電子制御ユニット１，３は互いに接続されて通信可能な状態とされていることから、例えば電子制御ユニット３から電子制御ユニット１内の各種データを入手することも可能である。この場合、電子制御ユニット３は、自己のＩＤを一時的に変更し既存の故障診断ツールと同様の動作をできるようにして電子制御ユニット１にアクセスするものとすれば、制御や故障診断に有用な情報を、障害なく入手できるようになる。
【００２１】
このような構成としたことで、両電子制御ユニット１，３間で互いに必要な情報を共有することができ、より高度な故障診断と燃料噴射制御を実行できるものとなっている。尚、この場合、装置の誤動作を回避するために、電子制御ユニット３は電子制御ユニット１からの故障情報を確認してからＩＤの変更を行うようになっている。
【００２２】
以下に、図２乃至図４の機能ブロック図を用いて、本実施の形態による制御装置の動作を説明する。尚、信号が送信されている配線・通信コードは太線で表示して説明するものとする。
【００２３】
先ず、図２を参照して、非ガソリン燃料噴射制御装置である電子制御ユニット３に関連する故障が発生した場合を説明すると、故障を検知したとき、故障診断統制手段３６から故障情報としての「点灯要求」信号が出力され（Ａ１）、付加手段３７で論理和に相当する処理が行われ、配線４ｂを介して出力して故障ランプ６を点灯させる（Ａ２）。
【００２４】
このとき、データリンクコネクタ７に、新たに追加した電子制御ユニット３に対応した故障診断ツール２００を接続すると、通信ケーブル５ａ，５を介して故障診断情報が送信され（Ａ３）、故障診断ツール２００に故障コードを表示させる。尚、通信ケーブル５より先は電子制御ユニット１，３の両方が共有しているため、新たに追加した電子制御ユニット３は、既存の電子制御ユニット１のＩＤ（１００）とは異なる別のＩＤ（２００）が付与されており、異なるＩＤ情報を送信するようになっている。従って、既存のガソリン噴射システム用の故障診断ツールを接続しても故障コードは表示されず、診断の間違いが生じないようになっている。
【００２５】
次に、図３を参照して、既存のガソリン噴射制御装置である電子制御ユニット１に関連する故障が発生した場合について説明すると、電子制御ユニット１が故障を検知して、故障ランプ６の「点灯請求」信号を出力すると（Ｂ１）、この出力信号は配線４ａを介して電子制御ユニット３内の付加手段３７に入力され、論理和に相当する処理を経て、配線４ｂを介して出力されて故障ランプ６を点灯させる（Ｂ２）。また、データリンクコネクタ７を介して既存のガソリン噴射制御装置に対応した故障診断ツール３００で故障コードにアクセスする場合も、上記のように両電子制御ユニット１，３のＩＤが異なるため、問題無く使用することができ故障診断情報を確認することができる（Ｂ３）。
【００２６】
一方、図４を参照して、特別動作モードとして両電子制御ユニット１，３間で情報通信を行う場合を説明すると、この場合は、先ず両電子制御ユニット１，３に関連する故障が発生していないことを確認することを前提としている。そして、電子制御ユニット３が故障がないことを確認できたら、電子制御ユニット３内の故障診断統制手段３６が送信するＩＤ情報（２００）を電子制御ユニット１のＩＤ情報（１００）に一時的に切換え（Ｃ１）、故障診断ツール３００が実行するのと同様の通信方法を用いて通信ケーブル５ａ，５を介して電子制御ユニット１の内部情報にアクセスして、この情報を電子制御ユニット３内に取込む（Ｃ２）。このようにすることで、より高精度な故障診断および燃料噴射制御を容易に実現できるようになる。
【図面の簡単な説明】
【００２７】
【図１】本発明における実施の形態であるガソリン代替燃料噴射システムに配設される制御装置の機能ブロック図。
【図２】図１の制御装置の動作を説明するための機能ブロック図。
【図３】図１の制御装置の動作を説明するための機能ブロック図。
【図４】図１の制御装置の動作を説明するための機能ブロック図。
【図５】従来例のガソリン代替燃料噴射システムに配設される制御装置の機能ブロック図。
【符号の説明】
【００２８】
１，３  電子制御ユニット、４，４ａ，４ｂ  配線、５，５ａ  通信ケーブル、６  故障ランプ、７  データリンクコネクタ、３５  故障診断手段、３６  故障診断統制手段、３７  付加手段、２００，３００  故障診断ツール
【図１】
2007309200.tif 000003
【図２】
2007309200.tif 000004
【図３】
2007309200.tif 000005
【図４】
2007309200.tif 000006
【図５】
2007309200.tif 000007